(57)【特許請求の範囲】
【請求項１】
複数のフェムトセル基地局の中からハンドオーバ・ターゲット・フェムトセル基地局を識別する方法であって、
（ａ）前記ハンドオーバ・ターゲット・フェムトセル基地局の特性を測定し、前記特性の第１の測定値を提供するステップと、
（ｂ）次いで、すべてその第１の特性値を有するフェムトセル基地局の第１のセットを、ハンドオーバ候補フェムトセル基地局として識別するステップと、
（ｃ）次いで、前記第１のセット中の選択されたフェムトセル基地局の前記特性を変更するステップと、
（ｄ）次いで、前記ハンドオーバ・ターゲット・フェムトセル基地局の前記特性を測定し、前記特性のさらなる測定値を提供するステップと、
（ｅ）次いで、前記特性の前記さらなる測定値を有する前記第１のセット中の各フェムトセル基地局を、ハンドオーバ候補フェムトセル基地局の縮小セットとして識別するステップと、
（ｆ）次いで、ハンドオーバ候補フェムトセル基地局の前記縮小セット中のフェムトセル基地局数が１であるかどうかをチェックし、前記縮小セット中のフェムトセル基地局数が２以上であると判定したとき、ステップ（ｃ）、（ｄ）、（ｅ）、および（ｆ）を反復する際に前記縮小セットを前記第１のセットとして取るステップと
を含む方法。
【請求項２】
前記特性が１次スクランブリング・コードである請求項１に記載の方法。
【請求項３】
前記複数のフェムトセル基地局がすべてセルラ・ネットワークのマクロセル内にあり、前記フェムトセル基地局に割り振られる１次スクランブリング・コード値が、フェムトセル基地局数よりも少ない請求項１または２に記載の方法。
【請求項４】
前記測定するステップがそれぞれ、前記ユーザ端末が前記特性を測定するステップを含む請求項１乃至３のいずれか１項に記載の方法。
【請求項５】
前記特性値が、サービング無線ネットワーク・コントローラによってフェムト・ゲートウェイにハンドオーバ要求メッセージで転送される請求項１乃至４のいずれか１項に記載の方法。
【請求項６】
ステップ（ｇ）が、前記縮小セット中のフェムトセル基地局数が２以上であると判定したとき、フェムト・ゲートウェイがサービング無線ネットワーク・コントローラにハンドオーバ失敗を通知するメッセージを送るステップを含む請求項５に記載の方法。
【請求項７】
マクロセル基地局から前記識別したハンドオーバ・ターゲット・フェムトセル基地局への呼出し接続のハンドオーバを含む請求項１乃至６のいずれか１項に記載の方法。
【請求項８】
ユーザ端末によって行われる測定に応答して、前記特性が、前記フェムトセル基地局の第１のセルで変更され、他のユーザ端末に対する接続が、前記フェムトセル基地局の第２のセルで維持される請求項１乃至７のいずれか１項に記載の方法。
【請求項９】
前記特性を変更すべきであるフェムトセル基地局で、接続されるユーザ端末が、新しい特性の使用に切り替わるように指令され、次いで前記特性が新しい値に変更される請求項１乃至７のいずれか１項に記載の方法。
【請求項１０】
複数のフェムトセル基地局の中からハンドオーバ・ターゲット・フェムトセル基地局を識別するように構成されたフェムト・ゲートウェイであって、
（ａ）前記ハンドオーバ・ターゲット・フェムトセル基地局の特性の第１の測定値を受信する手段と、
（ｂ）次いで、すべてその第１の特性値を有するフェムトセル基地局の第１のセットを、ハンドオーバ候補フェムトセル基地局として識別する手段と、
（ｃ）次いで、前記第１のセット中の選択されたフェムトセル基地局の前記特性を変更する手段と、
（ｄ）前記ハンドオーバ・ターゲット・フェムトセル基地局の前記特性のさらなる測定値を受信する手段と、
（ｅ）次いで、前記特性の前記のさらなる測定値を有する前記セット中の各フェムトセル基地局を、ハンドオーバ候補フェムトセル基地局の縮小セットとして識別する手段と、
（ｆ）次いで、ハンドオーバ候補フェムトセル基地局の前記縮小セット中のフェムトセル基地局数が１であるかどうかをチェックし、前記縮小セット中のフェムトセル基地局数が２以上であると判定したとき、前記縮小セットを前記第１のセットとして取り、ステップ（ｃ）、（ｄ）、（ｅ）、および（ｆ）を反復する手段と
を備えるフェムト・ゲートウェイ。
【請求項１１】
前記複数のフェムトセル基地局がすべてセルラ・ネットワークのマクロセル内にあり、前記フェムトセル基地局に割り振られる可能な値が、フェムトセル基地局数よりも少ない請求項１０に記載のフェムト・ゲートウェイ。
【請求項１２】
前記測定値がユーザ端末から受信される請求項１０または１１に記載のフェムト・ゲートウェイ。
【請求項１３】
前記縮小セット中のフェムトセル基地局数が２以上であると判定したとき、ハンドオーバのための前記接続のサービング無線ネットワーク・コントローラにハンドオーバ失敗を通知するメッセージを送る手段を含む請求項１０に記載のフェムト・ゲートウェイ。
【請求項１４】
請求項１０乃至１３のいずれか１項に記載のフェムト・ゲートウェイと、フェムトセル基地局とを備えるネットワークであって、ユーザ端末によって行われる測定に応答して、前記特性が、前記フェムトセル基地局の第１のセルで変更され、他のユーザ端末に対する接続が、前記フェムトセル基地局の第２のセルで維持されるネットワーク。
【請求項１５】
請求項１０乃至１４のいずれか１項に記載のフェムト・ゲートウェイと、前記特性を変更すべきであるフェムトセル基地局とを備えるネットワークであって、使用の際に、接続されるユーザ端末が、新しい特性の使用に切り替わるように指令され、次いで前記特性が新しい値に変更されるネットワーク。
【発明の詳細な説明】
【技術分野】
【０００１】
本発明は電気通信に関し、詳細にはワイヤレス電気通信に関する。
【背景技術】
【０００２】
ワイヤレス電気通信システムはよく知られている。そのような多くのシステムは、セルと呼ばれる一団の無線カバレッジ・エリアによって無線カバレッジが提供されるという点でセルラ式である。無線カバレッジを提供する基地局が、各セル内に配置される。従来の基地局は、比較的大きい地理的エリア内のカバレッジを提供し、対応するセルは、しばしばマクロセルと呼ばれる。
【０００３】
マクロセル内により小型のセルを確立することが可能である。マクロセルよりも小さいセルは、小型セル、マイクロセル、ピコセル、またはフェムトセルと呼ばれることがあるが、本発明者らは、マクロセルよりも小さいセルを総称してフェムトセルという用語を用いる。フェムトセルを確立する一方法は、マクロセルのカバレッジ・エリア内の比較的限られた範囲内で動作するフェムトセル基地局を設けることである。フェムトセル基地局の使用の一例は、建築物内のワイヤレス通信カバレッジを提供することである。
【０００４】
フェムトセル基地局は比較的低い送信電力のものであり、したがって各フェムトセルは、マクロセルと比較して小さいカバレッジ・エリアのものである。典型的なカバレッジ範囲は数十メートルである。
【０００５】
フェムトセル基地局は、ユーザによるプラグアンドプレイ配備をサポートするように自動構成プロパティを有し、プラグアンドプレイ配置では、フェムト基地局は、例えばマクロセル・ネットワークのコア・ネットワークに接続するように、それ自体を既存のマクロセル・ネットワークに統合することができる。
【０００６】
フェムトセル基地局は、主に特定の家庭またはオフィスに属するユーザのためのものである。フェムトセル基地局は、クローズド・アクセスまたはオープン・アクセスでよい。クローズド・アクセスであるフェムトセル基地局では、登録ユーザ、例えば家族の一員、または特定のグループの従業員のみにアクセスが制限される。オープン・アクセスであるフェムトセル基地局では、登録ユーザが受け取るサービス品質を保護するために一定の制限下で、他のユーザもフェムトセル基地局を使用することができる。
【０００７】
フェムトセル基地局の周知の一タイプは、ブロードバンド・インターネット・プロトコル接続を「バックホール」として、すなわちコア・ネットワークに接続するために使用する。ブロードバンド・インターネット・プロトコル接続の一タイプはデジタル加入者線（ＤＳＬ）である。ＤＳＬは、フェムトセル基地局のＤＳＬ送受信機（「トランシーバ」）をコア・ネットワークに接続する。ＤＳＬは、フェムトセル基地局を介して提供される音声呼および他のサービスをサポートすることを可能にする。フェムトセル基地局はまた、無線通信用のアンテナに接続された無線周波数（ＲＦ）トランシーバをも含む。そのような有線ブロードバンド・バックホールの代替は、ワイヤレス・バックホールを有することである。
【０００８】
フェムトセル基地局はフェムトと呼ばれることがある。
【０００９】
あるセルに対する接続から別のセルに対する接続へのユーザ端末のハンドオーバは、セルラ電気通信システムでは一般的である。ハンドオーバは、マクロセル基地局からマクロセル基地局へ、フェムトからフェムトへ、フェムトからマクロセル基地局へ（「ハンドアウト」）、およびマクロセル基地局からフェムトへ（「ハンドイン」）のものでよい。
【００１０】
特にマクロセル基地局に対する接続からフェムトとの接続へ（「ハンドイン」）のユーザ端末のハンドオーバは、ターゲット曖昧性除去、言い換えれば、複数の候補からハンドオーバのためのターゲット・フェムトを一意に識別する点で課題を提起する。最良のハンドオーバ候補の識別の情報がないことが、ターゲット「曖昧性」問題の核心である。この問題は、所与のエリア内のフェムトの密度が増加するにつれて悪化する。具体的には、多数のフェムトが数個だけの１次スクランブリング・コードを共有しなければならないときにこの問題が生じ、したがって多くのスクランブリング・コード再利用があり、１次スクランブリング・コードはフェムトセルを特定しないことを意味する。単一のマクロセルのカバレッジ・エリア内に限定されたときであっても、多数のターゲット・フェムト候補が存在することがある。
【００１１】
周知のシステムにおいては、ハンドオーバの準備中にマクロセル基地局からコア・ネットワークに向けて渡されるメッセージでは、最良のターゲット・フェムトを一意に識別することができない。ユーザ端末は、様々なフェムトからページング信号を受信し、最良品質の受信信号と最良のターゲット・フェムトのスクランブリング・コードをマクロセル基地局にレポートする。しかし、そのコードは他の多数のフェムトも使用し、したがって最良のターゲット・フェムトであるマクロセル基地局を明確には特定しない。
【００１２】
マクロセル基地局−フェムト・ハンドオーバ（ハンドイン）のいくつかの方法が周知である。いくつかの周知の手法では、フェムトがクローズド・アクセスであり、数個のユーザ端末だけがフェムトへの接続を許可され、これらのユーザ端末が、その一意識別子、すなわちそれぞれの国際モバイル加入者識別（ＩＭＳＩ）に従ってアクセス制御リストに列挙される。次いで、ターゲット候補とみなすことのできるフェムトだけがそれぞれのアクセス制御リスト上にそのユーザ端末を許可されたユーザとして有するものであるから、ハンドオーバ候補のリストが大幅に削減される。
【００１３】
フェムトがオープン・アクセスである場合、フェムトはアクセス制御リストを有さない。しかし、ハンドオーバ・ソース・マクロセルの特性、さらにはフェムトの特性を使用して、ハンドオーバ候補を求めることは可能である。具体的には、マクロセル内にあり、ユーザ端末によって識別されるのと同一のスクランブリング・コードを有するフェムトだけが選択され、マクロセル基地局に通知される。例えば、フェムトがフェムトの間で等しい割合で配布される６つのスクランブリング・コードを使用するシステムでは、それに対応して候補リストのサイズが６分の１に削減される。次いで、候補リスト上に残るフェムトのすべてに対してハンドオーバが試みられる。これらのうちの１つが、首尾よくユーザ端末との接続を引き受けると、その成功したフェムトがネットワークに通知し、次いでネットワークは、リスト上の他のフェムトのすべてにそのハンドオーバ受諾試行を中止するように命令する。通常は、削減後のハンドオーバ候補のリスト上には多数のフェムトがあるので、行われる複数の不成功のハンドオーバ試行でリソースが浪費される。
【発明の概要】
【課題を解決するための手段】
【００１４】
読者は添付の独立請求項を参照されたい。いくつかの好ましい特徴が従属請求項に配置される。
【００１５】
本発明の一例は、複数のフェムトセル基地局の中からハンドオーバ・ターゲット・フェムトセル基地局を識別する方法であって、
（ａ）ハンドオーバ・ターゲット・フェムトセル基地局の特性を測定し、特性の第１の測定値を提供すること、
（ｂ）次いで、すべてその第１の特性値を有するフェムトセル基地局の第１のセットを、ハンドオーバ候補フェムトセル基地局として識別すること、
（ｃ）次いで、第１のセット中の選択されたフェムトセル基地局の特性を変更すること、
（ｄ）次いで、ハンドオーバ・ターゲット・フェムトセル基地局の特性を測定し、特性のさらなる測定値を提供すること、
（ｅ）次いで、特性のさらなる測定値を有する第１のセット中の各フェムトセル基地局を、ハンドオーバ候補フェムトセル基地局の縮小セットとして識別すること、
（ｆ）次いで、ハンドオーバ候補フェムトセル基地局の縮小セット中のフェムトセル基地局数が１であるかどうかをチェックし、縮小セット中のフェムトセル基地局数が２以上であると判定したとき、ステップ（ｃ）、（ｄ）、（ｅ）、および（ｆ）を反復する際に縮小セットを第１のセットとして取ること
を含む方法である。
【００１６】
好ましくは、特性は１次スクランブリング・コードである。
【００１７】
好ましい実施形態では、フェムト・ゲートウェイがターゲット・フェムトを識別するために、特性の時間変動値が、ハンドオーバ・ソース基地局コントローラによってフェムト・ゲートウェイに送られる。
【００１８】
いくつかの好ましい実施形態は、マクロ−フェムト・ハンドオーバ（「ハンドイン」）に対する解決策を提供する。
【００１９】
好ましい実施形態では、マクロセル内にあるが、わずかな１次スクランブリング・コードを共有する多数のフェムトの中から一意のハンドオーバ・ターゲット・フェムトを識別することができる。
【００２０】
次に、例として、図面を参照しながら、本発明の実施形態を説明する。
【図面の簡単な説明】
【００２１】
【図１】本発明の第１の実施形態によるワイヤレス通信ネットワークを示す図である。
【図２】図１に示す１つのマクロセル内の例示的フェムトセル基地局配備を示す図である。
【図３】図１および２に示すネットワークのサービングＲＮＣおよびフェムト・ゲートウェイを示す図である。
【図４】最良のターゲットを一意に識別するためにハンドオーバ・ターゲット候補フェムトのスクランブリング・コードを経時的にどのように変更するかの図である。
【図５Ａ】サービングＲＮＣおよびフェムト・ゲートウェイの動作と、図４に示す例におけるユーザ端末およびフェムト・ハンドオーバ・ターゲット候補との通信とを示すメッセージ・シーケンス図である。
【図５Ｂ】サービングＲＮＣおよびフェムト・ゲートウェイの動作と、図４に示す例におけるユーザ端末およびフェムト・ハンドオーバ・ターゲット候補との通信とを示すメッセージ・シーケンス図である。
【図６】一方がハンドオーバ・ターゲット識別用、他方が音声／データ・サービス用の２つの放射セルを有するフェムトセル基地局の図である。
【発明を実施するための形態】
【００２２】
次に、フェムトセル基地局を含むネットワークを説明し、次いで、マクロセル基地局−フェムト・ハンドオーバを、特に１次スクランブリング・コードが複数のフェムトによって共有される場合にターゲット・フェムトをどのように一意に識別するかをより詳細に調べる。
【００２３】
ネットワーク
図１および２に示すように、ユーザ端末３４がそれを通じてローミングすることのできるワイヤレス通信用のネットワーク１０が、２つのタイプの基地局、すなわちマクロセル基地局およびフェムトセル基地局を含む（後者は「フェムト」と呼ばれることがある）。簡単にするために、図１および２では１つのマクロセル基地局２２を示す。各マクロセル基地局は、しばしばマクロセルと呼ばれる無線カバレッジ・エリア２４を有する。マクロセル２４の地理的範囲は、マクロセル基地局２２の能力および周囲の地形に依存する。
【００２４】
マクロセル２４内で、各フェムトセル基地局３０は、対応するフェムトセル３２内のワイヤレス通信を提供する。フェムトセルは無線カバレッジ・エリアである。フェムトセル３２の無線カバレッジ・エリアは、マクロセル２４の無線カバレッジ・エリアよりもずっと小さい。例えば、フェムトセル３２のサイズは、ユーザのオフィスまたは家庭に対応する。
【００２５】
図１に示すように、ネットワーク１０は、無線ネットワーク・コントローラ、即ちＲＮＣ１７０によって管理される。無線ネットワーク・コントローラ、ＲＮＣ１７０は、例えばバックホール通信リンク１６０を介してマクロセル基地局２２と通信することにより、動作を制御する。無線ネットワーク・コントローラ１７０は、基地局によってサポートされるセル間の地理的関係についての情報を含むネイバー・リストを維持する。さらに、無線ネットワーク・コントローラ１７０は、ワイヤレス通信システム１０内のユーザ機器の位置に関する情報を提供する位置情報を維持する。無線ネットワーク・コントローラ１７０は、回線交換網およびパケット交換ネットワークを介してトラフィックをルーティングするように動作可能である。回線交換トラフィックについて、無線ネットワーク・コントローラ１７０がそれと通信することができるモバイル交換センタ２５０が設けられる。モバイル交換センタ２５０は、公衆交換電話網（ＰＳＴＮ）２１０などの回線交換網と通信する。パケット交換トラフィックについて、ネットワーク・コントローラ１７０は、サービング一般パケット無線サービス・サポート・ノード（ＳＧＳＮ）２２０およびゲートウェイ一般パケット無線サポート・ノード（ＧＧＳＮ）１８０と通信する。次いで、ＧＧＳＮは、例えばインターネットなどのパケット交換コア１９０と通信する。
【００２６】
ＭＳＣ２５０、ＳＧＳＮ２２０、ＧＧＳＮ１８０、およびオペレータＩＰネットワークは、いわゆるコア・ネットワーク２５３を構成する。ＳＧＳＮ２２０およびＧＧＳＮ１８０は、オペレータＩＰネットワーク２１５によってフェムトセル・コントローラ／ゲートウェイ２３０に接続される。
【００２７】
フェムトセル・コントローラ／ゲートウェイ２３０は、インターネット１９０を介してフェムトセル基地局３０に接続される。フェムトセル・コントローラ／ゲートウェイ２３０へのこれらの接続は、ブロードバンド・インターネット・プロトコル接続（「バックホール」）接続である。
【００２８】
図２では、簡単にするために、３つのフェムトセル基地局３０および対応するフェムトセル３２を示す。
【００２９】
マクロセル２４内のモバイル端末３４が周知の方式でマクロセル基地局２２と通信することが可能である。モバイル端末がフェムトセル基地局３０内の通信のために登録されるフェムトセル３２内にモバイル端末３４が入ったとき、モバイル端末との接続をマクロセルからフェムトセルにハンドオーバすることが望ましい。図２に示す例では、モバイル端末３４のユーザは、フェムトセル３２のうちの最も近いもの３２’の好ましいユーザである。
【００３０】
図２に示すように、フェムトセル基地局３０は、ブロードバンド・インターネット・プロトコル接続（「バックホール」）３６を介して、コア・ネットワーク（図２には図示せず）に、したがって電気通信「世界」の残りの部分（図２には図示せず）に接続される。「バックホール」接続３６は、コア・ネットワーク（図示せず）を通じてフェムトセル基地局３０間の通信を可能にする。マクロセル基地局もコア・ネットワークに接続される（図２には図示せず）。
【００３１】
＜ハンドオーバ・ターゲットとなるべきフェムトセル基地局の識別＞
図３に示すように、音声またはデータ呼出しが接続されるマクロセル基地局２２のサービングＲＮＣ１７０’は、フェムト・ハンドオーバ候補リスト３００および無線アクセス・ネットワーク・アプリケーション部分（ＲＡＮＡＰ）プロセッサ３０２を含む。コア・ネットワークにとってＲＮＣインターフェースに見えるフェムト・ゲートウェイ２３０が、複数のフェムト３０に接続され、ＲＡＮＡＰプロセッサ３０４をも含む。以下で動作を説明する。
【００３２】
＜プロセス＞
最良のハンドオーバ・ターゲットを一意に識別するまで、候補リスト中のフェムト数を削減するプロセスを反復する（繰り返す）。プロセスは、経時的に１次スクランブリング・コードを変更し、最良のハンドオーバ・ターゲット・フェムトを一意に識別するための情報を提供することを含む。
【００３３】
隣接セルの信号強度に関してユーザ端末によって提供される測定レポートによる通知を受けて、ソースＲＮＣ１７０’は、ユーザ端末との接続をマクロセル基地局からフェムトにハンドオーバしようとするように決定することができる。その決定を行うとき、ソースＲＮＣは、ターゲットＲＮＣとして働くターゲット・フェムト・ゲートウェイに、ハンドオーバ要求、具体的にはＲＡＮＡＰ再配置要求を送る。
【００３４】
フェムト候補リストが２つ以上の候補を有する場合、ターゲット・フェムト・ゲートウェイ２３は、所定の方式で１次スクランブリング・コードを変更するようにフェムト候補のサブセットに命令することによって反応し、再配置失敗メッセージが、ターゲット・フェムト・ゲートウェイからソースＲＮＣに送られる。ユーザ端末からのさらなる測定レポートが作成され、候補リストが削減される。ユーザ端末測定のステップと、１次コード変動のステップとが、候補リストがただ１つの候補となるまで反復され、そのとき、ターゲット・フェムトが一意に識別され、したがってハンドオーバが進行する。
【００３５】
以下の例を考える。
【００３６】
＜４候補の例＞
図４に示すように、１２個のフェムトがその中に位置するマクロセル・カバレッジ・エリアを一例として考慮し、そうしたフェムトが３つの１次スクランブリング・コード（ＰＳＣ）を共有する。図４に示すように、第１の時間インスタンスｔ０で、４つのフェムトＡ、Ｂ、Ｃ、Ｄが第１のＰＳＣ１を使用し、別の４つのフェムトが第２のＰＳＣ２を使用し、別の４つのフェムトが第３のＰＳＣ３を使用する。
【００３７】
マクロセル基地局２２と呼出し接続しているユーザ端末３４によって行われる無線測定により、最良のハンドオーバ・ターゲットである基地局のＰＳＣがＰＳＣ１であることが識別されている。しかし、問題は、次いで、ＰＳＣ１を使用するマクロセル内の４つのフェムトＡ、Ｂ、Ｃ、Ｄのどれが最良のハンドオーバ・ターゲットであるかを識別することである。
【００３８】
最良のハンドオーバ候補を一意に識別することを可能にするような方式で、選択されたハンドオーバ候補のＰＳＣが経時的に変更される。この例では、図４の時刻ｔ１で示すように、フェムトＣおよびフェムトＤがどちらもＰＳＣ２に変更される。図４に示すように、次いで後続の時刻ｔ２で、フェムトＢがＰＳＣ２に変更され、フェムトＣがＰＳＣ１に戻される。したがって、時刻ｔ０、ｔ１、ｔ２で、４つの候補フェムトエリアに関するスクランブリング・コードのシーケンスは、表１に示す通りである。これにより、フェムト・ハンドオーバ・ターゲットを一意に識別することが可能となる。
【００３９】
【表１】
0005687805.tif 000002
【００４０】
図５に示すように、マクロセル基地局（図５には図示せず）のカバレッジ・エリア内のユーザ端末３４が、ハンドオーバに関してソースＲＮＣであるそのサービングＲＮＣ１７０’に、マクロセル基地局を介して測定レポートを送る（ステップａ）。測定レポートは、最良のハンドオーバ候補のＰＳＣの識別子がＰＳＣ１であることを含む。
【００４１】
ＰＳＣ１の識別子を含むハンドオーバ要求が、ターゲット・フェムト・ゲートウェイ２３０に送られる（ステップｂ）。フェムト・ゲートウェイは、フェムトのために予約されたいくつかの１次スクランブリング・コードのうちの１つとしてＰＳＣ１を認識する。したがって、フェムト・ゲートウェイは、マクロセル・カバレッジ・エリア内の１２個の候補フェムトのうち、次いでＰＳＣを使用する４つのＡ、Ｂ、Ｃ、Ｄだけが依然として候補であると判定する（ステップｃ）。
【００４２】
次いで、ゲートウェイ２３０は、ハンドオーバ・ターゲット識別を支援するように、どのフェムトが１次スクランブリング・コードを変更すべきかを選択する。この例では、フェムトＣおよびＤが選択され（ステップｄ）、それらのそれぞれに、ＰＳＣ２に変更するように命令が送られる（ステップｅ、ｆ）。フェムトＣはＰＳＣ２に変化する（ステップｈ）。フェムトＤはＰＳＣ２に変化する（ステップｇ）。一意のハンドオーバ・ターゲット・フェムトが識別されないので、次いでゲートウェイは、サービングＲＮＣ１７０’に再配置失敗メッセージを送る（ステップｉ）。
【００４３】
次いで、さらなる測定レポートが、ＲＮＣ１７０’によってユーザ端末３４から受信される（ステップｊ）。このさらなる測定レポートは、最良のハンドオーバ候補のＰＳＣの識別子がＰＳＣ２であることを含む。ＰＳＣ２の識別子を含むハンドオーバ要求が、ターゲット・フェムト・ゲートウェイ２３０に送られる（ステップｋ）。したがって、フェムト・ゲートウェイは、４つの以前に識別した候補フェムトＡ、Ｂ、Ｃ、Ｄのうちの２つだけ、すなわちＣおよびＤが次いでＰＳＣ２を使用しており、したがって依然として候補であると判定する（ステップｌ）。
【００４４】
次いで、ゲートウェイ２３０は、フェムトのうちのどれが１次スクランブリング・コードを変更すべきかを選択する。この例では、フェムトＢおよびＣが選択され（ステップｍ）、それらのそれぞれに、ＰＳＣ２に変更するように命令が送られる（ステップｎ、ｏ）。フェムトＢはＰＳＣ２に変化する（ステップｐ）。フェムトＣはＰＳＣ１に変化する（ステップｑ）。一意のハンドオーバ・ターゲット・フェムトがそのサイクル中で識別されなかったので、ゲートウェイは、サービングＲＮＣ１７０’に再配置失敗メッセージを送る（ステップｒ）。
【００４５】
ユーザ端末からの次の測定レポートが、最良のハンドオーバ候補フェムトのＰＳＣをＰＳＣ２と特定する（ステップs）。ＰＳＣ２の識別子を含むハンドオーバ要求が、ターゲット・フェムト・ゲートウェイ２３０に送られる（ステップｔ）。
【００４６】
ゲートウェイ２３０は、削減された候補リストであるフェムトＣおよびフェムトＤから、次いでフェムトＤだけがＰＳＣ２を使用し、したがってフェムトＤが、ハンドオーバのために一意に識別される候補であることを識別する（ステップｕ）。言い換えれば、そうした３つの時刻ｔ０、ｔ１、ｔ２での測定レポートと一致して、フェムトＤだけがｔ０でＰＳＣ１有し、ｔ１でＰＳＣ２を有し、ｔ３でＰＳＣ１を有した。次いで、ゲートウェイ２３０は、フェムトＤにハンドオーバ要求（すなわち、ＲＡＮＡＰ再配置要求）を送る（ステップｖ）。フェムトＤは、ハンドオーバ要求受諾メッセージで応答する（ステップｗ）。次いで、ハンドオーバが着手される（ステップｘ）。
【００４７】
＜サービスされるユーザ端末に対する影響を最小限に抑える＞
マクロ接続されるユーザ端末に関する最良のハンドオーバ・ターゲットを識別しようとしてフェムトのＰＳＣを変更する間、フェムト上にアイドル・モードでキャンピングされ、またはフェムトとアクティブに接続中である他のユーザ端末に対する悪影響を最小限に抑えることが望ましい。
【００４８】
上述の例では、このことは、各フェムトが、２つの異なるが重複するカバレッジ・エリアを生成することによって行われる。図６に示すように、通常のセルラ・サービスを提供するサービス・カバレッジ・エリア６１と、フェムト・ゲートウェイの制御下でＰＳＣを通じて循環することによって支援するハンドオーバ支援カバレッジ・エリア６３とがある。使用の際に、ターゲット・フェムトが一意に識別されると、ユーザ端末が、マクロセル基地局からハンドオーバ支援セル６３にハンドオーバされる。短時間の後、次いでユーザ端末が、通常のサービス・セル６１にハンドオーバされる。セル再選択およびハンドオーバ・パラメータを適切に設定することにより、いくつかの例では、さらに２つのカバレッジ・エリア６１および６３の相対的送信電力を設定することにより、２つのセル間の移動が制御される。このことは、マクロからフェムト・サービス・セル６１へのハンドインが、ハンドオーバ支援セル６３への第１のハンドオーバ、次いでそこからサービス・セル６１へのハンドオーバという２段階のプロセスであることを意味する。
【００４９】
代替形態は、その１次スクランブリング・コード（ＰＳＣ）が変更される前に、新しく割り当てられたＰＳＣを含むようにフェムトのネイバー・リストが更新されることである。次いで、フェムトは、そのブロードキャスト・チャネルを介してコマンドを送り、接続されたユーザ端末が、ＰＳＣが最新となるように再読込みする。次いで、フェムトのＰＳＣが実際に変化したとき、アイドル・モードのユーザ端末が、新しいＰＳＣを使用してそのフェムト上にキャンピングすることに切り替わり、アクティブ・モードのすべてのユーザ端末が、その無線リソースを物理チャネル再構成によって再構成し、そのフェムトとの間の接続で新しいＰＳＣを使用する。ユーザ端末の観点からは本質的に、これらのプロセスは、ハンドオーバまたは再配置のように見える。
【００５０】
＜いくつかの他の例＞
さらなる例として、ネットワーク内のフェムトのために６個の１次スクランブリング・コードが予約され、（６の５乗＝）７７７６個のフェムトがある場合、各フェムトが１次スクランブリング・コードの一意のシーケンスを有するような経時的な１次スクランブリング・コードの適切な変更により、ＲＮＣとして働くターゲット・フェムト・ゲートウェイによる５つのハンドオーバ要求拒絶だけで、正しいターゲット・フェムトの一意の識別が可能となる。
【００５１】
半径１キロメートルを有するマクロセルと、５００平方メートル当たり１つのフェムトからなる例では、マクロセル内部に６２８０個のフェムトがある。これは７７７６未満であるので、５つのハンドオーバ要求拒絶だけで、ターゲット・フェムトが一意に識別される。
【００５２】
例示的ネットワークでは、５１２個の異なる１次スクランブリング・コードが利用可能であるが、通常はフェムトに割り振られるのはわずかである。こうしたわずかなものが、任意のマクロセル内のフェムトのために予約されたＰＳＣの共通のセットである。あるいは、フェムトに割り振られる１次スクランブリング・コードのセットは、各マクロセルに特有のものでよい。
【００５３】
上述の特定の例は、１次スクランブリング・コードを時には変更することを含む。ハンドオーバ・ターゲットを一意に識別するために、追加で、または代わりに、別の構成パラメータ（複数可）を使用することができる。例えば、搬送周波数を使用することができる。
【００５４】
本発明の不可欠な特徴から逸脱することなく、他の特定の形態で本発明を実施することができる。記載の実施形態は、すべての点で限定的なものではなく、単に例示的なものとみなされるべきである。したがって、本発明の範囲は、上記の説明ではなく、添付の特許請求の範囲によって示される。特許請求の範囲の均等の意味および範囲内のすべての変更は、その範囲内に包含されるべきである。
【００５５】
様々な上述の方法のステップをプログラムされたコンピュータで実施できることを、当業者なら直ちに理解されよう。いくつかの実施形態は、機械可読またはコンピュータ可読であり、命令の機械実行可能またはコンピュータ実行可能プログラムを符号化するプログラム記憶装置、例えばデジタル・データ記憶媒体に関し、前記命令は、前記上述の方法のステップの一部またはすべてを実施する。プログラム記憶装置は、例えば、デジタル・メモリ、磁気ディスクや磁気テープなどの磁気記憶媒体、ハード・ドライブ、または光学的に可読なデジタル・データ記憶媒体でよい。いくつかの実施形態は、上述の方法の前記ステップを実施するようにプログラムされたコンピュータを含む。
【図１】
0005687805.tif 000003
【図２】
0005687805.tif 000004
【図３】
0005687805.tif 000005
【図４】
0005687805.tif 000006
【図５Ａ】
0005687805.tif 000007
【図５Ｂ】
0005687805.tif 000008
【図６】
0005687805.tif 000009